(57)【要約】【課題】外光の有無を精度よく、且つ効率よく判断できる画像読取装置を提供する。【解決手段】読取手段に基準部材を読み取らせ、その読み取り結果に基づいて光源調整値を調整することにより、光源の明るさを選択された読取モードに応じた明るさに調整する光源調整手段と、変換情報を参照して基準モードの基準調整値を選択された読取モードの基準調整値に変換する第１の変換手段と、選択された読取モードの第１の変換手段で変換された基準調整値と光源調整手段で調整した光源調整値とを比較して載置台への外光入射の有無を判断する判断手段と、を備える。【選択図】図８
2010219784.tif 000002
【特許請求の範囲】
【請求項１】
原稿が載置される載置台と、
前記載置台に載置されている原稿を照射する光源を有し、前記光源から出射されて前記原稿で反射された反射光に基づいて前記原稿を読み取る読取手段と、
前記光源から出射された光を反射する基準部材と、
前記原稿を読み取るときの前記光源の明るさが互いに異なる複数の読取モードのいずれかを選択する選択手段と、
前記読取手段に前記基準部材を読み取らせ、その読み取り結果に基づいて光源調整値を調整することにより、前記光源の明るさを前記選択手段で選択された読取モードに応じた明るさに調整する光源調整手段と、
複数の前記読取モードのうち基準となる基準モードにおいて前記載置台に外光が入射しない状態で調整した光源調整値である基準調整値と、前記基準モードの基準調整値を他の前記読取モードの基準調整値に変換するための変換情報とを記憶している記憶手段と、
前記変換情報を参照して前記基準モードの基準調整値を前記選択された読取モードの基準調整値に変換する第１の変換手段と、
前記選択された読取モードの前記第１の変換手段で変換された基準調整値と前記光源調整手段で調整した光源調整値とを比較して前記載置台への外光入射の有無を判断する判断手段と、
を備える画像読取装置。
【請求項２】
請求項１に記載の画像読取装置であって、
前記光源調整手段は、前記判断手段により外光有りと判断された場合は、前記原稿を読み取るとき、前記第１の変換手段で変換された前記選択された読取モードの基準調整値で前記光源を点灯させ、前記判断手段により外光無しと判断された場合は、前記原稿を読み取るとき、前記光源調整手段で調整した光源調整値で前記光源を点灯させる、画像読取装置。
【請求項３】
請求項１又は請求項２に記載の画像読取装置であって、
複数の前記読取モードは互いに読取解像度が異なり、
前記変換情報は各前記読取モードの読取解像度を前記基準モードの読取解像度で除算した解像度比であり、
前記第１の変換手段は、前記基準モードの基準調整値と前記選択された読取モードに対応する解像度比とに基づいて、前記選択された読取モードの基準調整値に変換する、画像読取装置。
【請求項４】
請求項３に記載の画像読取装置であって、
前記読取手段は、主走査方向に延びるラインセンサと前記ラインセンサを副走査方向に搬送する搬送手段とを有し、前記搬送手段により前記ラインセンサを搬送して前記原稿を１ラインずつ読み取り、
複数の前記読取モードは互いに１ライン当たりの点灯時間が異なり、
前記変換情報は前記基準モードの点灯時間を各前記読取モードの点灯時間で除算した点灯時間比であり、
前記第１の変換手段は、前記基準モードの基準調整値と前記選択された読取モードに対応する点灯時間比とに基づいて、前記選択された読取モードの基準調整値に変換する、画像読取装置。
【請求項５】
請求項１乃至請求項４のいずれか一項に記載の画像読取装置であって、
前記記憶手段は、前記基準モードにおける１ライン当たりの前記光源の点灯時間を基準点灯時間として記憶し、
前記基準モードにおける前記光源の基準点灯時間に、前記選択された読取モードの点灯時間比の逆数を乗算することにより、前記選択された読取モードにおける前記光源の点灯時間に変換する第２の変換手段を備える、画像読取装置。
【発明の詳細な説明】
【技術分野】
【０００１】
本発明は、画像読取装置に関する。
【背景技術】
【０００２】
従来、画像読取手段の明度基準となる基準部材を読み取って光源の光源調整値を設定する画像読取装置において、基準部材を読み取った読取値に基づいて外光の有無を判断し、外光有りと判断した場合には製造時や工場出荷時に入力設定された光源調整値を用いて光源から光を照射するものが知られている（例えば、特許文献１参照）。
【先行技術文献】
【特許文献】
【０００３】
【特許文献１】特開２００６−３１１２１９号公報
【発明の概要】
【発明が解決しようとする課題】
【０００４】
しかしながら、従来の画像読取装置によると、解像度や読取速度等の読取条件で決定される読取モード毎に光源の明るさを変えて原稿を読み取る場合には、製造時や工場出荷時に入力設定された光源調整値で判断すると、読取モードに応じて光源の明るさが異なるため、外光の有無を誤判定する虞があった。
本発明は上記のような事情に基づいて完成されたものであって、読取モードによって光源の明るさが異なっても、外光の有無を精度よく、且つ効率よく判断できる画像読取装置を提供することを目的とする。
【課題を解決するための手段】
【０００５】
第１の発明は、画像読取装置であって、原稿が載置される載置台と、前記載置台に載置されている原稿を照射する光源を有し、前記光源から出射されて前記原稿で反射された反射光に基づいて前記原稿を読み取る読取手段と、前記光源から出射された光を反射する基準部材と、前記原稿を読み取るときの前記光源の明るさが互いに異なる複数の読取モードのいずれかを選択する選択手段と、前記読取手段に前記基準部材を読み取らせ、その読み取り結果に基づいて光源調整値を調整することにより、前記光源の明るさを前記選択手段で選択された読取モードに応じた明るさに調整する光源調整手段と、複数の前記読取モードのうち基準となる基準モードにおいて前記載置台に外光が入射しない状態で調整した光源調整値である基準調整値と、前記基準モードの基準調整値を他の前記読取モードの基準調整値に変換するための変換情報とを記憶している記憶手段と、前記変換情報を参照して前記基準モードの基準調整値を前記選択された読取モードの基準調整値に変換する第１の変換手段と、前記選択された読取モードの前記第１の変換手段で変換された基準調整値と前記光源調整手段で調整した光源調整値とを比較して前記載置台への外光入射の有無を判断する判断手段と、を備える。
載置台に外光が入射している状態で調整した光源調整値と外光が入射していない状態で調整した光源調整値とを比較すると、両者には差が生じる。従って、予め外光が入射していない状態で調整した光源調整値を基準調整値として記憶しておき、その後に調整した光源調整値をその基準調整値と比較すれば、外光の有無を判断できる。
ところで、読取モードによって光源の明るさが異なる場合は、全ての読取モードについて同じ基準調整値と比較してしまうと、外光の有無を誤判断する虞がある。なぜなら、ある読取モードでは外光が入射しているにもかかわらず光源調整値と基準調整値との乖離が小さくなり、それにより外光無しと誤判断され、別の読取モードでは外光が入射していないにもかかわらず光源調整値と基準調整値との乖離が大きくなり、それにより外光有りと誤判断されることが起こり得るからである。
この発明によると、基準モードの基準調整値を選択手段で選択された読取モードの基準調整値に変換し、選択された読取モードに応じて調整した光源調整値をその読取モードの基準調整値と比較するので、読取モードによって光源の明るさが異なっても、外光の有無を精度よく判断できる。
よってこの発明によると、読取モードによって光源の明るさが異なっても、外光の有無を精度よく、且つ効率よく判断できる。
【０００６】
第２の発明は、第１の発明の画像読取装置であって、前記光源調整手段は、前記判断手段により外光有りと判断された場合は、前記原稿を読み取るとき、前記第１の変換手段で変換された前記選択された読取モードの基準調整値で前記光源を点灯させ、前記判断手段により外光無しと判断された場合は、前記原稿を読み取るとき、前記光源調整手段で調整した光源調整値で前記光源を点灯させる。
この発明によると、外光有りと判断された場合は選択された読取モードの基準調整値で光源を点灯させるので、外光有りの状態で光源の明るさを調整した光源調整値で点灯させる場合に比べ、光源を適切な明るさで点灯できる。
【０００７】
第３の発明は、第１又は第２の発明の画像読取装置であって、複数の前記読取モードは互いに読取解像度が異なり、前記変換情報は各前記読取モードの読取解像度を前記基準モードの読取解像度で除算した解像度比であり、前記第１の変換手段は、前記基準モードの基準調整値と前記選択された読取モードに対応する解像度比とに基づいて、前記選択された読取モードの基準調整値に変換する。
この発明によると、読取解像度と光源調整値との比例関係から、基準モードの基準調整値と解像度比とに基づくことにより、選択された読取モードの基準調整値に変換できる。
【０００８】
第４の発明は、第３の発明の画像読取装置であって、前記読取手段は、主走査方向に延びるラインセンサと前記ラインセンサを副走査方向に搬送する搬送手段とを有し、前記搬送手段により前記ラインセンサを搬送して前記原稿を１ラインずつ読み取り、複数の前記読取モードは互いに１ライン当たりの点灯時間が異なり、前記変換情報は前記基準モードの点灯時間を各前記読取モードの点灯時間で除算した点灯時間比であり、前記第１の変換手段は、前記基準モードの基準調整値と前記選択された読取モードに対応する点灯時間比とに基づいて、前記選択された読取モードの基準調整値に変換する。
この発明によると、点灯時間と光源調整値との反比例関係から、基準モードの基準調整値と点灯時間比とに基づくことにより、選択された読取モードの基準調整値に変換できる。
【０００９】
第５の発明は、第１〜第４のいずれか発明の画像読取装置であって、前記記憶手段は、前記基準モードにおける１ライン当たりの前記光源の点灯時間を基準点灯時間として記憶し、前記基準モードにおける前記光源の基準点灯時間に、前記選択された読取モードの点灯時間比の逆数を乗算することにより、前記選択された読取モードにおける前記光源の点灯時間に変換する第２の変換手段を備える。
この発明によると、基準モードの基準点灯時間に点灯時間比の逆数（読取モードの点灯時間を基準モードの点灯時間で除算した比）を乗算することにより、選択された読取モードの点灯時間に変換できる。基準モードの点灯時間を選択された読取モードの点灯時間に変換するようにすると、読取モード毎に点灯時間を記憶しなくてよいので、記憶手段を効率よく利用できる。
【発明の効果】
【００１０】
本発明によれば、読取モードによって光源の明るさが異なっても、外光の有無を精度よく、且つ効率よく判断できる。
【図面の簡単な説明】
【００１１】
【図１】本発明の一実施形態に係る読取部の模式図である。
【図２】読取部の電気的構成を示すブロック図。
【図３】読取モードの一例を示す表。
【図４】解像度と光源の明るさとの関係を説明するための模式図。
【図５】点灯時間と光源の明るさとの関係を示す模式図。
【図６】基準調整値、及び基準点灯時間を設定する処理の流れを示すフローチャート。
【図７】原稿の読み取りの全体的な流れを示すフローチャート。
【図８】明るさ／点灯時間設定処理の流れを示すフローチャート。
【図９】基準調整値変換処理の流れを示すフローチャート。
【発明を実施するための形態】
【００１２】
＜実施形態１＞
本発明の実施形態１を図１ないし図９によって説明する。
（１）複合機の構成
図１は、コピー機能、スキャナ機能、ファクシミリ機能、プリンタ機能などを有する複合機が備える読取部１（画像読取装置の一例）の模式図である。
【００１３】
読取部１は、所謂フラットベッド型のスキャナ装置として構成されている。読取部１は、第一の読取面１１と第二の読取面１２とを上部に備える装置本体３と、装置本体３の上方に開閉可能に設けられたＦＢカバー５とを備える。装置本体３の上面は、ＦＢカバー５が閉じられた状態で、ＦＢカバー５により被覆される。
【００１４】
装置本体３は、第一の読取面１１と第二の読取面１２とを構成するプラテンガラス１３（載置台の一例）と、プラテンガラス１３を支持する筐体２０と、第一の読取面１１に載置される原稿の位置決めを行うための位置決め部材１７と、白基準板１９（基準部材の一例）と、読取デバイス２１と、読取デバイス２１を移動させるＦＢモータ２３及びベルト機構部２５と、を備えている。
【００１５】
プラテンガラス１３の表面は、筐体２０に対して着脱自在に設けられた位置決め部材１７によって、第一の読取面１１と第二の読取面１２とに分割されている。第一の読取面１１は、利用者によって表面に載置された原稿を読み取るための領域である。第二の読取面１２は、ＦＢカバー５に設けられた原稿搬送装置４０により搬送されてきた原稿Ｐを読み取るための領域である。
【００１６】
読取デバイス２１（読取手段の一例）は、プラテンガラス１３の裏面において、プラテンガラス１３の盤面に平行な副走査方向（図中のＤ方向）に移動可能に収容されている。読取デバイス２１は、ベルト機構部２５が備える一対のローラ２５ａに掛け回されたベルト２５ｂに固定されており、ＦＢモータ２３が発生する動力により回転するベルト２５ｂと共に、副走査方向に移動する。
【００１７】
白基準板１９は、位置決め部材１７とプラテンガラス１３との間に、紙面に垂直な主走査方向に延びる姿勢で配置されている。白基準板１９は反射率の高い白色の部材であり、光源２２の明るさの調整やシェーディング補正のための白基準値の生成に用いられる。
【００１８】
ＦＢカバー５に設けられた原稿搬送装置４０の動作によって第二の読取面１２上に搬送されてきた原稿Ｐを読み取る際、読取デバイス２１は、第二の読取面１２下に移動されて停止する。また、第一の読取面１１上の原稿を読み取る際、読取りデバイスはＦＢモータ２３及びベルト機構部２５の動作により、第一の読取面１１の裏面側を副走査方向に搬送される。
【００１９】
ＦＢカバー５は、前述したように原稿搬送装置４０を備えており、次のように、給紙トレイ４１に載置された原稿Ｐを、第二の読取面１２上に搬送し、第二の読取面１２上で読取デバイス２１により読み取られた原稿を排紙トレイ４２に排出する。
【００２０】
原稿搬送装置４０は、搬送路の始点に、給紙ローラ４４、４５を備えており、給紙トレイ４１に載置された原稿は給紙ローラ４４、４５によって搬送路下流に搬送される。給紙ローラ４４、４５により搬送されてきた原稿Ｐは、搬送ローラ４７、４８により、更に搬送路下流に搬送される。
【００２１】
搬送路において搬送ローラ４７、４８より下流側には、第二の読取面１２と所定の空隙を有した状態で、第二の読取面１２に対抗する上板４９が設けられている。搬送ローラ４７、４８により搬送されてきた原稿Ｐは、上板４９と第二の読取面１２との間を通過して、それより更に搬送路下流に設けられた一対の搬送ローラ５１、５２によって搬送され、続いて、一対の排紙ローラ５３、５４によって、排紙トレイ４２に排紙される。
【００２２】
（２）読取部の電気的構成
図２は、読取部１の電気的構成を示すブロック図である。読取部１は、ＡＳＩＣ１００、ＣＰＵ１０１（光源調整手段、第１の変換手段、判断手段、第２の変換手段の一例）、ＲＯＭ１０２、ＲＡＭ１０３、ＥＥＰＲＯＭ１０４（記憶手段の一例）、駆動回路１０５、１０６、読取デバイス２１、ＡＦＥ１２２、操作部１３０（選択手段の一例）を備えている。
ＡＳＩＣ１００には、ＦＢモータ２３と、原稿搬送装置４０の各種のローラを駆動するＡＤＦモータ１１０とが、駆動回路１０５、１０６を介して接続されている。
【００２３】
また、図１では省略しているが、装置本体３は前方に各種スイッチを備える操作部１３０を備えており、ＡＳＩＣ１００に接続されている。利用者は操作部１３０を操作することにより、読取モードの選択や読み取りの指示などを行うことができる。
【００２４】
読取デバイス２１は、図示を省略しているが、主走査方向に複数の受光素子が一列に配列されたラインセンサ２６、及び、赤色（Ｒ）の光を発する複数のＬＥＤが１列に配列された光源２２Ｒと、緑色（Ｇ）の光を発する複数のＬＥＤが１列に配列された光源２２Ｇと、青色（Ｂ）の光を発する複数のＬＥＤが１列に配列された光源２２Ｂとで構成される光源２２を備えている。
【００２５】
また、ＡＳＩＣ１００には、読取デバイス２１の光源２２が電流制御回路１２１を介して接続されている。電流制御回路１２１は、ＡＳＩＣ１００からパルス信号として出力されるＰＷＭ信号に基づいて電流を光源２２に流す。
【００２６】
ＣＰＵ１０１は、ＡＳＩＣ１００を介して、ＰＷＭ信号のパルス幅とパルス周期とのデューティ比（ＬＥＤＰＷＭ調整値）を調整することにより、光源２２の明るさを調整することができる。
【００２７】
また、ＣＰＵ１０１は、ＡＳＩＣ１００を介して、１ライン周期中においてＰＷＭ信号を出力する期間と出力しない期間とのデューティ比（ＬＥＤＤＵＴＹ調整値）を調整することにより、光源２２の点灯時間を調整することができる。詳しくは後述するが本実施形態では原稿の読取速度、言い換えると１ライン周期を変えることができ、光源２２の点灯時間は１ライン周期に比例して調整される。例えば１ライン周期が２倍になると光源の点灯時間も２倍に調整される。この調整とは別に、本実施形態では上述したＬＥＤＤＵＴＹ調整値を調整することにより、点灯時間を微調整することができる。
【００２８】
また、ＡＳＩＣ１００には、ラインセンサ２６がＡＦＥ１２２（Analog Front End）を介して接続されている。ＡＦＥ１２２は、Ａ／Ｄ変換回路を含んで構成されている。
【００２９】
（３）読取モードについて
図３は、読取モードの一例を示す表である。読取部１は図３に示す表を変換テーブルとしてＥＥＰＲＯＭ１０４に記憶している。読取モードの名称に含まれている「1200dpi」、「600dpi」、「300dpi」という文字列はその読取モードの読取解像度（以下「解像度」という）を示しており、「高速」、「低速」という文字列はその読取モードで原稿を読み取るときの読取速度を示している。読取速度とは読取デバイス２１を搬送する速度のことであり、いずれの解像度の場合も高速で読み取るよりも低速で読み取った方が高画質の画像データを得ることができる。
【００３０】
前述したように複合機はコピー機能、スキャナ機能、ファクシミリ機能を有しており、本実施形態では機能によって選択できる読取モードが異なる。具体的には例えば、コピー機能の場合は「600dpi高速モード」のみを選択でき、スキャナ機能の場合は「1200dpi高速モード」又は「600dpi低速モード」を選択できる。ファクシミリ機能の場合は「300dpi高速モード」又は「300dpi低速モード」を選択できる。なお、機能によらず任意の読取モードを選択できるようにしてもよい。
【００３１】
（３−１）解像度と光源の電荷蓄積量との関係
図４は、解像度と画素数との関係を説明するための模式図である。図４では解像度が１２００ｄｐｉの画像データの１ライン分の画素列、解像度が６００ｄｐｉの画像データの１ライン分の画素列、解像度が３００ｄｐｉの画像データの１ライン分の画素列を示している。図中の丸印６１はそれぞれ一つの画素を表している。なお、図４では一つの画素にのみ符号を付し、他の画素については符号を省略している。
【００３２】
ＡＳＩＣ１００は、いずれの読取モードが選択されている場合も、原稿を１２００ｄｐｉで読み取る。そして、例えば解像度が６００ｄｐｉの読取モードが選択されている場合は、原稿を１２００ｄｐｉで読み取って生成した画像データについて、ラインセンサ２６の１ラインに相当する画素列（主走査方向に並ぶ画素列）毎に、当該列の隣り合う２つの画素の電荷蓄積量をＲＧＢ毎にそれぞれ合計することにより６００ｄｐｉの電荷蓄積量を求める。
【００３３】
但し、このようにして６００ｄｐｉの電荷蓄積量を求めると、その電荷蓄積量は１２００ｄｐｉの電荷蓄積量に比べて単純計算で２倍の値になる。そこで、ＣＰＵ１０１は、解像度が６００ｄｐｉの読取モードが選択されているときは、１２００ｄｐｉの読取モードが選択されているときに比べ、光源２２の明るさを１／２に調整して読み取る。
【００３４】
解像度が３００ｄｐｉの読取モードが選択されているときも同様であり、ＣＰＵ１０１は光源２２の明るさを１２００ｄｐｉの読取モードが選択れているときの１／４に調整して原稿を読み取る。
【００３５】
つまり、本実施形態では、基準となる読取モードに比べて解像度が１／２になると、基準となる読取モードに比べて光源２２の明るさを１／２（解像度比の一例）に調整する。
【００３６】
（３−２）点灯時間と光源の明るさとの関係
図５は、点灯時間と光源２２の明るさとの関係を説明するための模式図である。図５は、高速で読み取るときに光源２２に流れる電流と点灯時間との関係、及び、低速で読み取るときに光源２２に流れる電流と点灯時間との関係を示している。
【００３７】
読取デバイス２１は、原稿を低速で読み取るときは遅い速度で移動しながら読み取る。このため、原稿を低速で読み取るときの点灯時間は、高速で読み取るときの点灯時間よりも長くなる。具体的には例えば、高速をＸ［ｍ／ミリ秒］とし、低速をＹ［ｍ／ミリ秒］（Ｘ＞Ｙ）とする。そして、高速で読み取るときの１ライン当たりの点灯時間をＴａ［ミリ秒］とし、低速で読み取るときの１ライン当たりの点灯時間をＴｂ［ミリ秒］（Ｔｂ＞Ｔａ）とすると、これらには式１の関係が成り立つ。
Ｘ／Ｙ＝Ｔｂ／Ｔａ  ・・・  式１
【００３８】
この場合、原稿を低速で読み取るときの光源２２の明るさと高速で読み取るときの光源２２の明るさとを同じにすると、低速で読み取るときの方が高速で読み取るときよりもラインセンサ２６の各受光素子に蓄積される電荷が多くなるので、低速で読み取ったときの電荷蓄積量は高速で読み取ったときの電荷蓄積量に比べて単純計算でＴｂ／Ｔａ倍（＞１）になる。つまり、同じ原稿を読み取っても、低速で読み取って生成した画像データが表す画像は、高速で読み取って生成した画像データが表す画像よりも、全体的に明るい画像になってしまう。
【００３９】
そこで、ＣＰＵ１０１は、ＬＥＤＰＷＭ調整値を調整することにより、原稿を低速で読み取るときは、高速で読み取るときに比べて光源２２に流れる電流をＴａ／Ｔｂ倍（＜１）に調整する、言い換えると、光源２２の明るさをＴａ／Ｔｂ倍にする。これにより、同じ原稿を読み取ったときに、低速で読み取って生成した画像データが表す画像の全体的な明るさと、高速で読み取って生成した画像データが表す画像の全体的な明るさとが大きく異なってしまわないようにすることができる。
【００４０】
つまり、本実施形態では、基準となる読取モードに比べて点灯時間がＴｂ／Ｔａ倍になると、基準となる読取モードに比べて光源２２の明るさをＴａ／Ｔｂ倍（点灯時間比の一例）に調整する。なお、点灯時間比は読取速度比の逆数と言い換えることもできる。
【００４１】
（３−３）基準モード
本実施形態では、基準となる読取モード（以下「基準モード」という）として「600dpi高速モード」を例に説明する。「600dpi高速モード」を基準モードとした場合、他の読取モードで原稿を読み取るときの光源２２の明るさの目標値、言い換えると他の読取モードで白基準板１９を読み取るときの電荷蓄積量の目標値は、次式で表すことができる。
電荷蓄積量の目標値＝「600dpi高速モード」で原稿を読み取るときの目標値×解像度比×点灯時間比  ・・・  式２
ここで解像度比は、他の読取モードの解像度を基準モードの解像度（６００ｄｐｉ）で除算した値である。点灯時間比は、基準モードの点灯時間を他の読取モードの点灯時間で除算した値である。図３に示す各読取モードは解像度比と点灯時間比との積が互いに異なっている。
【００４２】
（４）光源の明るさの調整、及び点灯時間の調整
光源は経時変化により明るさが変化することがあり、また、経時変化がない場合でも点灯直後と一定時間経過した後とでは明るさが変化することもある。このため、ＣＰＵ１０１は、原稿の読み取りが指示されると、原稿を読み取る前に毎回光源２２の明るさを調整する。
また、ＣＰＵ１０１は、原稿の読み取りが指示されると、原稿を読み取る前に毎回光源２２の点灯時間を調整する。
以下、基準モードを例に、光源２２の明るさの調整、及び点灯時間の調整について説明する。
【００４３】
（４−１）光源の明るさの調整の概要
光源の明るさの調整は、ＲＧＢの光源毎に行われる。ここでは赤色（Ｒ）の光源２２Ｒを例に説明する。
原稿の読み取りが指示されると、先ずＣＰＵ１０１は、光源２２Ｒの明るさを調整する光源調整値であるＬＥＤＰＷＭ調整値に初期値を設定する。
次に、ＣＰＵ１０１は、光源２２Ｒの点灯時間を調整する調整値であるＬＥＤＤＵＴＹ調整値に初期値を設定する。
【００４４】
次に、ＣＰＵ１０１は読取デバイス２１を白基準板１９の下に移動させ、光源２２Ｒを初期値で設定された期間の間、点灯させる。
次に、ＣＰＵ１０１は、１ライン周期の間に読取デバイス２１が受光する電荷蓄積量の目標値に対してＡＦＥ１２２から出力された画素信号がオーバーフローしているか否かを判定し、オーバーフローしていない場合はオーバーフローするまでＬＥＤＰＷＭ調整値を段階的に上げる、すなわち光源２２Ｒを明るくする。
【００４５】
ＣＰＵ１０１は、画素信号がオーバーフローすると、ＬＥＤＰＷＭ調整値を段階的に下げることにより、画素信号がオーバーフローする直前の値に調整する。これにより光源２２Ｒの明るさが基準モードに応じた明るさに調整される。
ここでは赤色（Ｒ）の光源２２Ｒを例に説明したが、緑色（Ｇ）の光源２２Ｇ、及び青色（Ｂ）の光源２２Ｂについても同様である。
【００４６】
（４−２）点灯時間の調整の概要
光源の点灯時間の調整は、ＲＧＢの光源毎に行われる。ここでは赤色（Ｒ）の光源２２Ｒを例に説明する。
先ずＣＰＵ１０１は、光源２２ＲのＬＥＤＤＵＴＹ調整値に初期値を設定する。
【００４７】
次に、ＣＰＵ１０１は前述した明るさの調整で調整したＬＥＤＰＷＭ調整値で光源２２Ｒを初期設定で設定された期間点灯させる。
次に、ＣＰＵ１０１は、ＡＦＥ１２２から出力された画素信号がオーバーフローしているか否かを判定し、オーバーフローしていない場合はオーバーフローするまでＬＥＤＤＵＴＹ調整値を段階的に上げる、すなわち点灯時間を長くする。
そして、画素信号がオーバーフローすると、ＣＰＵ１０１はＬＥＤＤＵＴＹ調整値を段階的に下げることにより、画素信号がオーバーフローする直前の値に調整する。これにより光源２２Ｒの点灯時間が基準モードに応じた点灯時間に調整される。
ここでは赤色（Ｒ）の光源２２Ｒを例に説明したが、緑色（Ｇ）の光源２２Ｇ、及び青色（Ｂ）の光源２２Ｂについても同様である。
【００４８】
（５）基準調整値、及び基準点灯時間
光源２２の明るさを調整する場合は、ＦＢカバー５を閉じてプラテンガラス１３に外光が入射しない状態、言い換えるとラインセンサ２６に外光が入射しない状態で調整することが望ましい。外光が入射するとその分だけ光源２２の明るさが抑制されてしまうからである。
【００４９】
しかしながら、明るさの調整は必ずしもＦＢカバー５が閉じられた状態で行われるとは限らない。例えば本などの厚みのある原稿の場合にはＦＢカバー５がプラテンガラス１３から浮いてしまうからである。この場合、光源２２の明るさを調整するときは外光が入射し、本を読み取るときは本によってプラテンガラス１３が覆われることにより概ね外光が入射しないとすると、光源２２の明るさが外光の分だけ抑制されることにより、全体に電荷蓄積量が低下して暗い画像になる。
【００５０】
そこで、本実施形態では、ＦＢカバー５を閉じてプラテンガラス１３に外光が入射しない状態で調整したＬＥＤＰＷＭ調整値である基準調整値をＥＥＰＲＯＭ１０４に予め記憶させておく。
そして、ＣＰＵ１０１は、原稿を読み取るとき、原稿の読み取り前に調整したＬＥＤＰＷＭ調整値と、ＥＥＰＲＯＭ１０４に記憶されている基準調整値とを比較して外光の入射の有無を判断し、外光有りと判断した場合は、基準調整値で光源２２を点灯させて原稿を読み取る。一方、外光無しと判断した場合は、ＣＰＵ１０１は調整したＬＥＤＰＷＭ調整値で光源を点灯させて原稿を読み取る。
【００５１】
ただし、基準調整値を全ての読取モードについてそれぞれ記憶しておくとＥＥＰＲＯＭ１０４の記憶領域を多く必要とする。そこで、本実施形態では、基準モードの基準調整値と、基準モードの基準調整値を他の読取モードの基準調整値に変換するための変換情報とをＥＥＰＲＯＭ１０４に記憶させておく。
そして、ＣＰＵ１０１は、基準モード以外の他の読取モードで原稿を読み取るとき、変換情報を参照して基準モードの基準調整値を他の読取モードの基準調整値に変換する。変換情報とはすなわち各読取モードの解像度比及び点灯時間比である。このようにすると他の読取モードの基準調整値をＥＥＰＲＯＭ１０４に記憶させなくてよいので、ＥＥＰＲＯＭ１０４の記憶領域を節約できる。
【００５２】
本実施形態では点灯時間についても同じく基準モードにおいて外光が入射しない状態で調整した点灯時間を基準点灯時間としてＥＥＰＲＯＭ１０４に予め記憶させておく。そして、ＣＰＵ１０１は、基準モード以外の他の読取モードで原稿を読み取るとき、外光有りと判断した場合は、基準点灯時間に点灯時間比の逆数を乗算することにより他の読取モードの点灯時間に変換する。
【００５３】
図６は、基準モードの基準調整値、及び基準点灯時間を記憶する処理の流れを示すフローチャートである。本処理は例えば製造時あるいは工場出荷時にＦＢカバー５を閉じた状態で実行される。ここでは光源として赤色（Ｒ）の光源２２Ｒを例に説明する。
【００５４】
Ｓ１０１では、ＣＰＵ１０１は、基準モードに設定する。これにより解像度に「600dpi」が設定され、点灯時間にＴａ［ミリ秒］が設定される。
Ｓ１０２では、ＣＰＵ１０１は、ベルト機構部２５を制御して読取デバイス２１を白基準板１９の下に移動させる。次に、ＣＰＵ１０１は光源２２Ｒを点灯させて読取部１に白基準板１９を読み取らせ、その読み取り結果に基づいてＬＥＤＰＷＭ調整値を調整することにより、光源２２Ｒの明るさを基準モードに応じた明るさに調整する。この調整の仕方は「（４−１）光源の明るさの調整」で説明したとおりである。
【００５５】
Ｓ１０３では、ＣＰＵ１０１は、Ｓ１０２で調整したＬＥＤＰＷＭ調整値を基準モードの基準調整値としてＥＥＰＲＯＭ１０４に記憶させる。
Ｓ１０４では、ＣＰＵ１０１は、光源２２Ｒの点灯時間を基準モードに応じた点灯時間に調整する。この調整の仕方は「（４−２）点灯時間の調整」で説明したとおりである。
Ｓ１０５では、ＣＰＵ１０１は、Ｓ１０４で調整したＬＥＤＤＵＴＹ値を基準モードの基準点灯時間としてＥＥＰＲＯＭ１０４に記憶させる。
【００５６】
以上により基準モードの基準調整値、及び基準点灯時間を記憶する処理が終了する。ここでは赤色（Ｒ）の光源２２Ｒを例に説明したが、緑色（Ｇ）の光源２２Ｇ、及び青色（Ｂ）の光源２２Ｂについても同様である。
【００５７】
（６）原稿の読み取り
次に、原稿の読み取りについて説明する。
（６−１）原稿の読み取りの全体的な流れ
図７は、原稿の読み取りの全体的な流れを示すフローチャートである。本処理は利用者がいずれかの読取モードを選択して読み取りを指示すると開始される。
Ｓ２０１では、ＣＰＵ１０１は、ベルト機構部２５を制御して読取デバイス２１を白基準板１９の下に移動させる。
Ｓ２０２では、ＣＰＵ１０１は、選択された読取モードに設定する。これにより、解像度、点灯時間、及び読取速度に、選択された読取モードに応じた値が設定される。
【００５８】
Ｓ２０３では、ＣＰＵ１０１は、光源２２の明るさ（ＬＥＤＰＷＭ調整値）、及び点灯時間（ＬＥＤＤＵＴＹ調整値）を設定する処理である「明るさ／点灯時間設定処理」を実行する。「明るさ／点灯時間設定処理」の詳細については後述する。
Ｓ２０４では、ＣＰＵ１０１は、Ｓ２０３で設定したＬＥＤＰＷＭ調整値及びＬＥＤＤＵＴＹ調整値で光源２２を点灯させて白基準板１９を読み取り、シェーディング補正のための白基準値を生成する。その後、ＣＰＵ１０１は光源２２を消灯させて読み取りを行い、シェーディング補正のための黒基準値を生成する。
【００５９】
Ｓ２０５では、ＣＰＵ１０１は、ベルト機構部２５を制御して読取デバイス２１を読取開始位置に搬送する。
Ｓ２０６では、ＣＰＵ１０１は、Ｓ２０３で設定したＬＥＤＰＷＭ調整値及びＬＥＤＤＵＴＹ調整値で光源２２を点灯させ、ベルト機構部２５を制御して読取デバイス２１を読取モードに応じた読取速度で搬送しつつ原稿を１ラインずつ読み取る。
Ｓ２０７では、ＣＰＵ１０１は、Ｓ２０６での読み取りが終了すると、読取デバイス２１を所定の待機位置に搬送する。
以上により、原稿の読み取りが終了する。
【００６０】
（６−２）明るさ／点灯時間設定処理
明るさ／点灯時間設定処理は、ＲＧＢの光源毎に行われる。ここでは赤色（Ｒ）の光源２２Ｒを例に説明する。
【００６１】
図８は、明るさ／点灯時間設定処理の流れを示すフローチャートである。
Ｓ３０１では、ＣＰＵ１０１は、ＬＥＤＰＷＭ調整値に初期値を設定する。
Ｓ３０２では、ＣＰＵ１０１は、ＬＥＤＤＵＴＹ調整値に初期値を設定する。
【００６２】
Ｓ３０３では、ＣＰＵ１０１は、白基準板１９を読み取って出力される電荷蓄積量が「選択された読取モードの電荷蓄積量の目標値」になるようにＬＥＤＰＷＭ調整値を調整することにより、光源２２Ｒの明るさを、選択された読取モードに応じた明るさに調整する。
【００６３】
Ｓ３０４では、ＣＰＵ１０１は、基準モードの基準調整値を「選択された読取モードの基準調整値」に変換する処理である「基準調整値変換処理」を実行する。「基準調整値変換処理」の詳細については後述する。
【００６４】
Ｓ３０５では、ＣＰＵ１０１は、Ｓ３０３で調整したＬＥＤＰＷＭ調整値とＳ３０４で変換した「選択された読取モードの基準調整値」とを比較して、プラテンガラス１３に外光が入射したか否かを判定する。
具体的には、ＣＰＵ１０１は、Ｓ３０３で調整したＬＥＤＰＷＭ調整値が「選択された読取モードの基準調整値」の８割以上であれば、外光無しと判断し、８割未満であれば外光有りと判断する。ＣＰＵ１０１は、外光無しと判断した場合はＳ３０６に進み、外光有りと判断した場合はＳ３０８に進む。なお、８割を外光有無の判定基準とするかは適宜選択可能な設計事項である。
【００６５】
Ｓ３０６では、ＣＰＵ１０１は、Ｓ３０３で調整したＬＥＤＰＷＭ調整値を光源２２ＲのＬＥＤＰＷＭ調整値とする。
Ｓ３０７では、ＣＰＵ１０１は、ＬＥＤＤＵＴＹ調整値を調整することにより、光源２２Ｒの点灯時間を選択された読取モードに応じた点灯時間に調整する。
【００６６】
Ｓ３０８では、ＣＰＵ１０１は、Ｓ３０４で変換した「選択された読取モードの基準調整値」を光源２２ＲのＬＥＤＰＷＭ調整値とする。
Ｓ３０９では、ＣＰＵ１０１は、変換テーブルから点灯時間比を取得し、基準モードの基準点灯時間に点灯時間比の逆数（読取モードの点灯時間を基準モードの点灯時間で除算した比）を乗算することにより「選択された読取モードにおける点灯時間」に変換する。
【００６７】
以上により明るさ／点灯時間設定処理が終了する。ここでは赤色（Ｒ）の光源２２Ｒを例に説明したが、緑色（Ｇ）の光源２２Ｇ、及び青色（Ｂ）の光源２２Ｂについても同様である。
【００６８】
（６−３）基準調整値変換処理
図９は、基準調整値変換処理の流れを示すフローチャートである。ここでは光源として赤色（Ｒ）の光源２２Ｒを例に説明する。
【００６９】
Ｓ４０１では、ＣＰＵ１０１は、選択されている読取モードが基準モードであるか否かを判定する。ＣＰＵ１０１は、基準モードでない場合はＳ４０２に進み、基準モードである場合はＳ４０３に進む。
【００７０】
Ｓ４０２では、ＣＰＵ１０１は、変換情報を参照して、基準モードの基準調整値を「選択された読取モードの基準調整値」に変換する。具体的には、ＣＰＵ１０１は変換テーブルから解像度比と点灯時間比とを取得し、以下の式により変換する。
選択された読取モードの基準調整値＝基準モードの基準調整値×解像度比×点灯時間比  ・・・  式３
【００７１】
Ｓ４０３では、ＣＰＵ１０１は、基準モードの基準調整値をそのまま基準調整値とする。
【００７２】
以上により基準調整値変換処理が終了する。なお、ここでは光源として赤色（Ｒ）の光源２２Ｒを例に説明したが、緑色（Ｇ）の光源２２Ｇ、及び青色（Ｂ）の光源２２Ｂについても同様である。
【００７３】
（７）実施形態の効果
プラテンガラス１３に外光が入射している状態で調整したＬＥＤＰＷＭ調整値（光源調整値）と外光が入射していない状態で調整したＬＥＤＰＷＭ調整値とを比較すると、両者には差が生じる。従って、予め外光が入射していない状態で調整したＬＥＤＰＷＭ調整値を基準調整値として記憶しておき、その後に調整したＬＥＤＰＷＭ調整値をその基準調整値と比較すれば、外光の有無を判断できる。
ところで、読取モードによって光源２２の明るさが異なる場合は、全ての読取モードについて同じ基準調整値と比較してしまうと、外光の有無を誤判断する虞がある。なぜなら、ある読取モードでは外光が入射しているにもかかわらずＬＥＤＰＷＭ調整値と基準調整値との乖離が小さくなり、それにより外光無しと誤判断され、別の読取モードでは外光が入射していないにもかかわらずＬＥＤＰＷＭ調整値と基準調整値との乖離が大きくなり、それにより外光有りと誤判断されることが起こり得るからである。
本発明の実施形態１に係る読取部１によると、基準モードの基準調整値を操作部１３０で選択された読取モードの基準調整値に変換し、選択された読取モードに応じて調整した光源調整値をその読取モードの基準調整値と比較するので、読取モードによって光源の明るさが異なっても、外光の有無を精度よく判断できる。
更に、読取部１によると、上述したように基準モードの基準調整値を各読取モードの基準調整値に変換するので、読取モード毎に基準調整値を記憶しておかなくてよく、ＥＥＰＲＯＭ１０４を効率よく利用できる。
よって読取部１によると、読取モードによって光源２２の明るさが異なっても、外光の有無を精度よく、且つ効率よく判断できる。
【００７４】
更に、読取部１によると、外光有りと判断された場合は選択された読取モードの基準調整値で光源２２を点灯させるので、外光有りの状態で光源２２の明るさを調整した光源調整値で点灯させる場合に比べ、光源２２を適切な明るさで点灯できる。
【００７５】
更に、読取部１によると、読取解像度とＬＥＤＰＷＭ調整値との比例関係から、基準モードの基準調整値に解像度比を乗算することにより、選択された読取モードの基準調整値に変換できる。
【００７６】
更に、読取部１によると、点灯時間とＬＥＤＰＷＭ調整値との反比例関係から、基準モードの基準調整値に点灯時間比を乗算することにより、選択された読取モードの基準調整値に変換できる。
【００７７】
更に、読取部１によると、基準モードの基準点灯時間に点灯時間比の逆数（読取モードの点灯時間を基準モードの点灯時間で除算した比）を乗算することにより、選択された読取モードの点灯時間に変換できる。基準モードの点灯時間を選択された読取モードの点灯時間に変換するようにすると、読取モード毎に点灯時間を記憶しなくてよいので、ＥＥＰＲＯＭ１０４を効率よく利用できる。
【００７８】
＜他の実施形態＞
本発明は上記記述及び図面によって説明した実施形態に限定されるものではなく、例えば次のような実施形態も本発明の技術的範囲に含まれる。
【００７９】
（１）上記実施形態では変換情報として解像度比、及び点灯時間比を例に説明したが、例えば読取モードによって読取速度が異ならない場合は、解像度比のみを変換情報として用いてもよい。
【００８０】
（２）上記実施形態では画像読取装置として複合機が備える読取部１を例に説明したが、画像読取装置はスキャナ機能のみを備える所謂イメージスキャナであってもよい。
【００８１】
（３）上記実施形態では光源としてＲＧＢのＬＥＤを例に説明したが、光源は所謂白色光源を発光する冷陰極管ランプ（ＣＣＬＶ）でもよい。
【００８２】
（４）上記実施形態では原稿を読み取るときの光源２２の明るさが互いに異なる複数の読取モードを例に説明したが、各読取モードは光源の明るさが互いに同じで、点灯時間のみが異なってもよい。この場合は、基準モードにおいて調整した点灯時間を基準調整値とし、基準モードの基準調整値と、基準モードの基準調整値を各読取モードの基準調整値に変換する変換情報とを記憶しておく。そして、選択された読取モードで点灯時間を調整するとき、調整した点灯時間と、選択した読取モードの基準調整値とを比較することにより、外光の有無を判定するようにしてもよい。
【符号の説明】
【００８３】
１・・・読取部（画像読取装置）
１３・・・プラテンガラス（載置台）
１９・・・白基準板（基準部材）
２１・・・読取デバイス（読取手段）
２２・・・光源
２６・・・ラインセンサ
１０１・・・ＣＰＵ（光源調整手段、第１の変換手段、判断手段、第２の変換手段）
１０４・・・ＥＥＰＲＯＭ（記憶手段）
１３０・・・操作部（選択手段）
【図１】
2010219784.tif 000003
【図２】
2010219784.tif 000004
【図３】
2010219784.tif 000005
【図４】
2010219784.tif 000006
【図５】
2010219784.tif 000007
【図６】
2010219784.tif 000008
【図７】
2010219784.tif 000009
【図８】
2010219784.tif 000010
【図９】
2010219784.tif 000011